(57)【要約】      （修正有）【課題】多様なケーブルが混在して接続された機器を移設する場合に、ケーブルの配線を正確かつ簡単に復元できるようにした器具を提供する。【解決手段】接続ケーブルの種類ごとに両端のコネクタ部分を一組として模造し、複数組を１セットで製品化する。例としては、ＬＡＮケーブルの模造コネクタ２、ピンプラグケーブルの模造コネクタ３ａ及び３ｂ、ＨＤＭＩケーブルの模造コネクタ４、ＵＳＢケーブルの模造コネクタ５であり、１セットの模造コネクタは一組ごとに番号、アルファベット、或いは記号を付けて、同じ種類の模造コネクタを一組ずつ判別できるようにする。機器を移設する時は、事前に機器を接続している各ケーブルの両端のコネクタを抜いて、同じ種類の一組の模造コネクタと差し替える。機器を移設した後は、機器に装着された模造コネクタごとに同じ種類のコネクタを持つケーブルと差し替えることで接続を復元する。【選択図】図１
2017055635.tif 000002
【特許請求の範囲】
【請求項１】
機器を接続するケーブルの両端のコネクタ部分を一組として模造することを特徴とする器具。
【発明の詳細な説明】
【技術分野】
【０００１】  本発明は、ＡＶ機器やＩＴ機器を移設する場合に、誰もが機器を繋ぐケーブル接続を簡単に復元できるようにした器具に関する。
【背景技術】
【０００２】  現代はインターネットやＩＴ技術の進歩によって、ＡＶ機器やＩＴ機器を接続するケーブルの配線が複雑化し、一般人には正確な接続経路を理解しづらい環境となっている。【０００３】  従って、これらの機器を移設したり住居を引越した場合は、機器が正常稼働するようにケーブル接続を復元するのに手間取ることがあり、場合によっては専門業者の有料サービスを利用せざるを得なくなることがある。【０００４】  また、従来の発明品にはケーブル接続を誰もが簡単に復元できる先行技術が存在しない。
【発明の概要】
【発明が解決しようとする課題】
【０００５】  ＡＶ機器やＩＴ機器は、ピンプラグケーブル、ＨＤＭＩケーブル、ＵＳＢケーブル、ＬＡＮケーブルといった多様なケーブルが混在して接続されていることが多い。【０００６】  従って、これらの機器を移設する場合、ケーブル接続を正確に復元するには事前にデジタルカメラで接続経路を撮影しておく、或いは機器の本体とケーブルにシールで目印を付けておき、どのケーブルをどこに接続するかを記録しなければならないという問題があった。【０００７】  本発明は、多様なケーブルが混在して接続された機器を移設する場合に、誰もが機器を接続するケーブルの配線を正確かつ簡単に復元できるようにした器具の提供を目的とする。
【課題を解決するための手段】
【０００８】  機器の接続ケーブルは、ピンプラグケーブル、ＨＤＭＩケーブル、ＵＳＢケーブル、ＬＡＮケーブルといった多様なものがあり、ケーブルの種類ごとに両端のコネクタ部分を一組として模造する。【０００９】  １種類の模造コネクタは、複数組を１セットとする。【００１０】  １セットの模造コネクタは、一組ごとに番号、アルファベット、或いは記号を付けて区別することで、同じ種類の模造コネクタを一組ずつ判別できるようにする。【００１１】  同種類のケーブルが複数接続された機器の場合は、対応する模造コネクタの１セット内の複数組を使ってケーブルの接続経路を判別する。【００１２】  機器を移設する時は、事前に機器を接続している各ケーブルの両端のコネクタを抜いて、ケーブルごとに同じ種類の一組の模造コネクタと差し替えることで、接続の復元に必要なケーブルの種類と接続経路を認識できる。【００１３】  機器を移設した後は、移設前と逆の手順で機器に装着された一組の模造コネクタごとに同じ種類のコネクタを持つケーブルと差し替えて接続を復元する。
【発明の効果】
【００１４】  以上の説明から明らかなように、本発明によって次に列挙する効果が得られる。【００１５】  本発明は、機器を移設する前にケーブルが接続されている相互の差込口に同種類の模造コネクタを装着しておき、移設後は移設前と逆の手順で模造コネクタと同種類のコネクタを持つケーブルを差し替えることで、知識がなくても接続に必要なケーブルの種類と接続経路を判別して復元することができる。【００１６】  一般的にＡＶ機器やＩＴ機器などは壁沿いに設置する場合が多く、ケーブルコネクタの差込口も背面に配置されているため、デジタルカメラで接続経路を的確に写し出すためには機器を壁から離れた位置に移動しなければならない。【００１７】  また、シールを貼る場合も機器を壁から離して作業しなければならないが、作業完了後は移設時まで機器を元の位置に戻すことになり二度手間となる。【００１８】  しかしながら、本発明の模造コネクタは、コネクタを抜き差しできる隙間があれば機器を移動させずに作業ができる。【００１９】  本発明は、機器の差込口への装着性が重要であり、電気信号の導通性を必要としないため、端子部分を含め金属以外の材質で製造することができる。【００２０】  従って、模造コネクタは樹脂系の素材によって一体成型することが可能であり、コストの低減化を図ることができる。【００２１】  なお、本発明は、家電販売店がケーブル接続を必要とする機器を販売する際に、顧客に対して機器の接続経路を模造コネクタを使ってレクチャーできるので、顧客は持ち帰った機器の模造コネクタに従ってケーブルを配線するだけで正確に接続を完了できる。【００２２】  従って、家電販売店はＡＶ機器やＩＴ機器の配線を苦手とする顧客層に対して、独力によるケーブル接続を可能にする便利グッズとしての活用効果が期待できる。【００２３】  なお、本発明は、引越し業者が機器を搬出入する際に模造コネクタを使用することで、転居先でのケーブル接続をサービスメニューの一つとして付加できる。【００２４】  そして、顧客が転居先でケーブル接続を行う際の便利グッズとして、引越し業者が模造コネクタを提供する事で、受注を促進させる効果が期待できる。
【図面の簡単な説明】
【００２５】
【図１】  種類の違う模造コネクタの斜視図。
【図２】  機器にＬＡＮケーブル及びピンケーブルを接続した状態の斜視図。
【図３】  図２の機器からケーブルを取り外して、同種類の模造コネクタに差し替えた状態の斜視図。
【発明を実施するための形態】
【００２６】  以下、本発明の実施形態を図１〜図３に基づいて説明する。
【００２７】  図１はＬＡＮケーブルの模造コネクタ２、ピンプラグケーブルの模造コネクタ３ａ及び３ｂ、ＨＤＭＩケーブルの模造コネクタ４、ＵＳＢケーブルの模造コネクタ５の斜視図であり、１セットの模造コネクタは一組ごとに番号、アルファベット、或いは記号を付けて区別することで、同じ種類の模造コネクタを一組ずつ判別できるようにする。
【００２８】  図２は機器１ａと機器１ｂをＬＡＮケーブルとピンプラグケーブルで接続した状態、及び機器１ｂ、機器１ｃをピンプラグケーブルで接続した状態の斜視図。
【００２９】  図３は、機器１ａ、機器１ｂからＬＡＮケーブルのコネクタを抜いて、ＬＡＮケーブルの模造コネクタ２に差し替えた状態、および機器１ａ、機器１ｂからピンプラグケーブルのコネクタを抜いて、ピンプラグケーブルの模造コネクタ３ａに差し替えた状態、並びに機器１ｂ、機器１ｃからピンプラグケーブルのコネクタを抜いて、ピンプラグケーブルの模造コネクタ３ｂに差し替えた状態の斜視図。
【産業上の利用可能性】
【００３０】  本発明は、家電販売業や引越し業などの生活産業分野で利用できる可能性がある。
【符号の説明】
【００３１】１ａ、１ｂ、１ｃ  機器
２  ＬＡＮケーブルの模造コネクタ
３ａ、３ｂ  ピンプラグケーブルの模造コネクタ
４  ＨＤＭＩケーブルの模造コネクタ
５  ＵＳＢケーブルの模造コネクタ
６  ＬＡＮケーブル
７ａ、７ｂ  ピンプラグケーブル
【図１】
2017055635.tif 000003
【図２】
2017055635.tif 000004
【図３】
2017055635.tif 000005